(57)【特許請求の範囲】
【請求項１】
下記一般式（１）
0005819011.tif 000008
（式（１）中、Ｒ１〜Ｒ４はそれぞれ同一でも異なってもよい水素原子又は炭素数１〜８のアルキル基を表す。）で表されるジニトラミド誘導体と、
下記一般式（２）
0005819011.tif 000009
（式（２）中、Ｒ５は炭素数１〜８のアルキル基を表し、Ｒ６〜Ｒ７はそれぞれ同一でも異なってもよい水素原子又は炭素数１〜８のアルキル基を表す。）で表されるアミンナイトレートと、
を少なくとも含有する液体推進薬。
【請求項２】
上記ジニトラミド誘導体が、下記式（Ａ）
0005819011.tif 000010
で表されるアンモニウムジニトラミドである請求項１に記載の液体推進薬。
【請求項３】
上記ジニトラミド誘導体と上記アミンナイトレートとの総量が８０ｗｔ％以上を占める請求項１記載の液体推進薬。
【請求項４】
上記アミンナイトレートがモノアルキルアミンナイトレートである請求項１記載の液体推進薬。
【請求項５】
下記一般式（３）
0005819011.tif 000011
（式（３）中、Ｒ８〜Ｒ１１は、それぞれ同一でも異なってもよい水素原子、炭素数１〜６のアルキル基、炭素数２〜６のアルケニル基、炭素数６〜１０のアリール基、炭素数１〜６のアルキルアミノ基、炭素数２〜６のジアルキルアミノ基のいずれかを表すか、あるいは、Ｒ８〜Ｒ１１の任意の２つ以上が互いに連結してハロゲン基を有していてもよい５又は６員環を形成する。）
で表される尿素誘導体をさらに含有する請求項１記載の液体推進薬。
【請求項６】
上記尿素誘導体が５〜２０ｗｔ％を占める請求項５記載の液体推進薬。
【請求項７】
上記アミンナイトレートに対する上記ジニトラミド誘導体の重量比が４／６〜７／３である請求項１記載の液体推進薬。
【請求項８】
Ｒ１〜Ｒ４及びＲ６〜Ｒ７が全て水素原子である請求項１記載の液体推進薬。
【請求項９】
Ｒ１〜Ｒ４及びＲ６〜Ｒ７が全て水素原子である請求項３記載の液体推進薬。
【請求項１０】
上記アミンナイトレートに対する上記ジニトラミド誘導体の重量比が４／６〜７／３である請求項３記載の液体推進薬。
【請求項１１】
Ｒ１〜Ｒ４及びＲ６〜Ｒ７が全て水素原子である請求項１０記載の液体推進薬。
【請求項１２】
上記ジニトラミド誘導体と上記アミンナイトレートとの総量が８０ｗｔ％以上を占め、Ｒ１〜Ｒ４、Ｒ６〜Ｒ７及びＲ８〜Ｒ１１が全て水素原子である請求項５記載の液体推進薬。
【発明の詳細な説明】
【技術分野】
【０００１】
本発明は、液体推進薬、詳しくは、ジニトラミド誘導体とアミンナイトレートを用いた液体推進薬に関する。
【背景技術】
【０００２】
液体推進薬は一般にロケット等の飛翔体の推進源として用いられている。宇宙用ロケットの分野では燃焼の中断や再点火により推力の制御が可能であるため、ロケットのメインエンジンの他、スラスタを用いて人工衛星の姿勢制御等に利用されている。【０００３】
液体推進薬は、一般に二液混合系と一液系の２種類がある。二液混合系は液体酸化剤と液体燃料を用い燃焼させることで大きな推力を得ることができるが、供給装置が二系統必要となるため、システムが複雑となる。一液系は触媒への接触や外部エネルギーにより燃焼させることができるため、システムを簡略化できるといった特徴を持っている。【０００４】
二液混合系推進薬で用いられる液体酸化剤には、液体酸素や四酸化二窒素等があり、液体燃料として液体水素等がある。これらは一定の性能要求を満たす推進薬であるが、液体酸素や液体水素は極低温での扱いが必要であり、四酸化二窒素は毒性が高く、防護服等により安全性を確保しなければならず、取扱いに問題がある。【０００５】
一液系推進薬は、ヒドラジンやヒドロキシルアミンナイトレート水溶液を利用した推進薬が開発・研究されている。【０００６】
ヒドラジンは毒性が高く蒸発しやすいため、取扱い時には特殊スーツの着用とそのための空気供給設備が必要となる。さらに特定作業要員と医療要員が必要となり、また充填作業時には平行作業が禁止されるなど打上作業の作業効率を著しく低下させるといった問題点を有している。【０００７】
ヒドロキシルアミンナイトレートは原材料の工場で爆発事故を起こした原因となる爆ごう性を有するなど、安全面や技術面で多くの課題を持っている。【０００８】
特許文献１には、ヒドロキシルアミンナイトレートと、ヒドロジニウムニトロフォルマート、アンモニウムジニトラミド、硝酸アンモニウム、及び過酸化水素からなる群より選択された１種以上の酸化剤を用いた液体酸化剤及び該液体酸化剤を用いたハイブリッド推進薬が開示されている。液体酸化剤としてヒドロキシルアミンナイトレート水溶液とヒドロジニウムニトロフォルマート、アンモニウムジニトラミド、硝酸アンモニウム、及び過酸化水素を用いることにより、従来の液体酸化剤である液体酸素や四酸化二窒素の各々の問題点となるシステムの極低温化、毒性について改善し、従来と同等な比推力を得るものであるが、顕著な比推力の向上には至っていない。【０００９】
特許文献２には、酸化剤として、ジニトラミドアニオンを用いた塩を酸化剤として用いた推進薬が開示されている。燃料としては一価アルコール、二価アルコール、三価アルコール又は多価アルコール（具体的には、グリセロール（グリセリン）、グリシン）を用いた場合が有用とされ、特に好ましい配合物としてアンモニウムジニトラミド（ＡＤＮ）、水、グリセロールが例示されている。ＡＤＮとグリセロール又はグリシンを混合させて用いても、液体推進薬として用いるためには水が必須となり、その結果、比推力が低下する問題があった。【００１０】
以上より、毒性が低く、取扱いが容易な比推力に優れる液体推進薬が求められている。
【先行技術文献】
【特許文献】
【００１１】
【特許文献１】特開２００２−０２０１９１号公報
【特許文献２】特表２００２−５３７２１８号公報
【発明の概要】
【発明が解決しようとする課題】
【００１２】
本発明の目的は、毒性が低く、取扱いが容易な比推力に優れる液体推進薬を提供することである。
【課題を解決するための手段】
【００１３】
本発明者らは鋭意検討した結果、一般式（１）で表されるジニトラミド誘導体と、一般式（２）で表されるアミンナイトレートと、を少なくとも含有することを特徴とする液体推進薬を用いることで、上記課題を解決できることを見出し、本願発明を完成するに至った。【００１４】
すなわち、本発明は以下に示すものである。【００１５】
第一の発明は、下記一般式（１）で表されるジニトラミド誘導体と、下記一般式（２）で表されるアミンナイトレートと、を少なくとも含有することを特徴とする液体推進薬である。
0005819011.tif 000002
【００１６】
式（１）中、Ｒ１〜Ｒ４は、それぞれ同一でも異なってもよい水素原子又は炭素数１〜８のアルキル基を表す。【００１７】
0005819011.tif 000003
【００１８】
式（２）中、Ｒ５は炭素数１〜８のアルキル基を表し、Ｒ６〜Ｒ７はそれぞれ同一でも異なってもよい水素原子又は炭素数１〜８のアルキル基を表す。【００１９】
第二の発明は、ジニトラミド誘導体が、下記式（Ａ）で表されるアンモニウムジニトラミドであることを特徴とする第一の発明に記載の液体推進薬である。
0005819011.tif 000004
【００２０】
第三の発明は、アミンナイトレートが、モノアルキルアミンナイトレートであることを特徴とする第一又は第二の発明に記載の液体推進薬である。【００２１】
第四の発明は、後述する尿素誘導体を含有し、好ましくは尿素誘導体が５〜２０ｗｔ％を占めることを特徴とする第一から第三の発明のいずれかに記載の液体推進薬である。【００２２】
第五の発明は、上記アミンナイトレートに対する上記ジニトラミド誘導体の重量比が１／９〜９／１であり、好ましくは４／６〜７／３であることを特徴とする第一から第四の発明のいずれかに記載の液体推進薬である。【００２３】
第六の発明は、上記ジニトラミド誘導体と上記アミンナイトレートとの総量が８０ｗｔ％以上を占めることを特徴とする第一から第五の発明のいずれかに記載の液体推進薬である。【００２４】
第七の発明は、ヒドラジンを実質的に含まぬ第一から第六の発明のいずれかに記載の液体推進薬である。
【発明の効果】
【００２５】
本発明により、取扱いが容易で比推力に優れ、好ましくは毒性が低い液体推進薬を提供することができる。
【図面の簡単な説明】
【００２６】
【図１】アンモニウムジニトラミドとモノメチルアミンナイトレートとを用いた液体推進薬の比推力の関係を表す図である。
【発明を実施するための形態】
【００２７】
本発明は、上記一般式（１）で表されるジニトラミド誘導体と、上記一般式（２）で表されるアミンナイトレートと、を少なくとも含有することを特徴とする液体推進薬である。
【００２８】
ここで、液体推進薬とは、液体推進薬がロケットエンジンシステムの上で供給、噴出される際に、流動性を有している推進薬を指す。液体推進薬は流動性を損なわなければ固体物質を含有してもよい。
【００２９】
上記一般式（１）中、Ｒ１〜Ｒ４は、それぞれ同一でも異なってもよい水素原子又は炭素数１〜８のアルキル基を表す。
【００３０】
該炭素数１〜８のアルキル基としては、好ましくは炭素数１〜６のアルキル基であり、具体的には、メチル基、エチル基、プロピル基、ブチル基、ペンチル基、ヘキシル基等が挙げられるが、これらの中でも、溶解性に優れている点より、メチル基が特に好ましく挙げられる。
【００３１】
一般式（１）で表されるアンモニウムジニトラミドのカチオン部としては、アンモニウムカチオン、テトラメチルアンモニウムカチオン、テトラエチルアンモニウムカチオン、テトラプロピルアンモニウムカチオン、テトライソプロピルアンモニウムカチオン、テトラブチルアンモニウムカチオン、トリメチルエチルアンモニウムカチオン、トリエチルメチルアンモニウムカチオン、ジメチルジエチルアンモニウムカチオン、ジメチルエチルメトキシエチルアンモニウムカチオン、ジメチルエチルメトキシメチルアンモニウムカチオン、ジメチルエチルエトキシエチルアンモニウムカチオン、トリメチルプロピルアンモニウムカチオン、ジメチルエチルプロピルアンモニウムカチオン、トリエチルプロピルアンモニウムカチオン等が挙げられる。
これらの中でも特に、比推力に優れる点より、アンモニウムカチオンが特に好ましく挙げられる。つまり上記式（Ａ）で表されるアンモニウムジニトラミド、すなわち、式（１）におけるＲ１〜Ｒ４が全て水素原子である化合物、を用いることが好ましく挙げられる。
【００３２】
アンモニウムジニトラミドの製造方法は、公知の製造方法（特表平０５−５００７９５号公報、ＷＯ９１／１９６６９号公報等）で製造することができる。前記製造方法に倣って、対応するカチオンを調製することにより、上記式（１）のアンモニウムジニトラミドを得ることもできる。
【００３３】
上記一般式（２）中、Ｒ５は炭素数１〜８のアルキル基を表し、Ｒ６〜Ｒ７は、それぞれ同一でも異なってもよい水素原子又は炭素数１〜８のアルキル基を表す。Ｒ６とＲ７の少なくとも一方は、Ｒ５と同じアルキル基であってもよいし異なるアルキル基であってもよい。
【００３４】
炭素数１〜８のアルキル基としては、好ましくは炭素数１〜６のアルキル基が挙げられ、具体的には、メチル基、エチル基、プロピル基、ブチル基、ペンチル基、ヘキシル基等が挙げられるが、これらの中でも、溶解性に優れている点から、メチル基が特に好ましく挙げられる。
【００３５】
一般式（２）で表されるアミンナイトレートのアミンとしては、モノアルキルアミン、ジアルキルアミン、トリアルキルアミンが挙げられる。
【００３６】
モノアルキルアミンとしては、モノメチルアミン、モノエチルアミン、モノプロピルアミン、モノブチルアミン、モノペンチルアミン、モノヘキシルアミン等が挙げられる。
【００３７】
ジアルキルアミンとしては、ジメチルアミン、ジエチルアミン、ジプロピルアミン、ジブチルアミン、ジペンチルアミン、ジヘキシルアミン、メチルエチルアミン、メチルプロピルアミン、メチルブチルアミン、エチルプロピルアミン、エチルブチルアミン等が挙げられる。
【００３８】
トリアルキルアミンとしては、トリメチルアミン、トリエチルアミン、トリプロピルアミン、トリブチルアミン、トリペンチルアミン、トリヘプチルアミン、ジメチルエチルアミン、ジエチルメチルアミン等が挙げられる。
【００３９】
これらの中でも、比推力に優れる点より、モノアルキルアミンが好ましく、特にモノメチルアミンが好ましく挙げられる。換言すると、上記一般式（２）におけるＲ６とＲ７は両方とも水素原子が好ましく、Ｒ５はメチル基が特に好ましい。一般式（２）で表されるアミンナイトレートは、市販のものを用いたり、公知の製法により得られたものを用いることができる。前記製法としては、例えば、対応するアミンと硝酸とを反応させることなどが挙げられ、具体例は後述の実施例にて記載される。
【００４０】
上記一般式（１）で表されるジニトラミド誘導体と上記一般式（２）で表されるアミンナイトレートを用いる液体推進薬は、ヒドラジンを用いる必要が無いため、ヒドラジンを用いる液体推進薬と比べ毒性が低く、防護服等により安全性を確保しなくても容易に取り扱え、かつ、これまでの液体推進薬よりも比推力に優れるものである。よって、好ましくは、本発明の液体推進薬にはヒドラジンが実質的に含まれない。ヒドラジンが実施的に含まれないとは、例えば、含有量が１ｗｔ％以下であることを意味する。また、好ましくは、本発明の液体推進薬には、上記一般式（１）で表されるジニトラミド誘導体と上記一般式（２）で表されるアミンナイトレートとの総量が７５ｗｔ％以上、より好ましくは８０ｗｔ％以上、さらに好ましくは９０％以上を占める。
【００４１】
液体推進薬における一般式（１）で表されるジニトラミド誘導体と一般式（２）で表されるアミンナイトレートの比率に関して、（ジニトラミド誘導体の重量）／（アミンナイトレートの重量）は、好ましくは１０／９０〜９０／１０であり、より好ましくは２０／８０〜８０／２０であり、さらに好ましくは４０／６０〜７０／３０である。該範囲にすることで、特に優れた比推力を得ることができる。
【００４２】
＜凝固点降下剤＞
本発明の液体推進薬は、液体推進薬の凝固点を降下させる目的で下記の尿素誘導体を含有してもよい。本発明において、「尿素誘導体」は「尿素」そのものであってもよい。本発明の液体推進薬は尿素誘導体を好ましくは５〜２０ｗｔ％含有する。
【００４３】
尿素誘導体は、下記一般式（３）で表される、分子内にウレア結合を有する化合物である。
【００４４】
0005819011.tif 000005
上記一般式（３）中、Ｒ８〜Ｒ１１は、それぞれ同一でも異なってもよい水素原子、炭素数１〜６のアルキル基、炭素数２〜６のアルケニル基、炭素数６〜１０のアリール基、炭素数１〜６のアルキルアミノ基、炭素数２〜６のジアルキルアミノ基のいずれかを表す。Ｒ８〜Ｒ１１は、任意の２つ以上が連結して５又は６員環を形成してもよく、これらの基はさらにハロゲン基を有していてもよい。
【００４５】
一般式（３）で表される尿素誘導体の具体例としては、尿素、Ｎ−メチル−Ｎ’−メチル尿素、Ｎ−メチル−Ｎ’−エチル尿素、Ｎ−メチル−Ｎ’−プロピル尿素、Ｎ−メチル−Ｎ’−ブチル尿素、Ｎ−メチル−Ｎ’−ペンチル尿素、Ｎ−メチル−Ｎ’−ヘキシル尿素、Ｎ−メチル−Ｎ’−フェニル尿素、Ｎ−メチル−Ｎ’−ステアリル尿素、Ｎ−エチル−Ｎ’−エチル尿素、Ｎ−エチル−Ｎ’−プロピル尿素、Ｎ−エチル−Ｎ’−ブチル尿素、Ｎ−エチル−Ｎ’−ペンチル尿素、Ｎ−エチル−Ｎ’−ヘキシル尿素、Ｎ−エチル−Ｎ’−フェニル尿素、Ｎ−エチル−Ｎ’−ステアリル尿素、Ｎ−ブチル−Ｎ’−ペンチル尿素、Ｎ−ブチル−Ｎ’−ヘキシル尿素、Ｎ−ブチル−Ｎ’−フェニル尿素、Ｎ−ブチル−Ｎ’−ステアリル尿素等が挙げられ、これらの中でも、凝固点を降下させる効果に優れている点より、特に尿素、すなわちＲ８〜Ｒ１１が全て水素である形態が、好ましく挙げられる。
【００４６】
本願発明の液体推進薬には、溶媒として水を用いても用いなくても液体状態となるため水を用いなくてもよいが、液体推進薬の凝固点等を降下させる目的で、適宜水を加えて用いてもよい。
【００４７】
本発明の液体推進薬には、諸性能を調節するために、燃料を用いてもよい。燃料としては、アルコール類、アミノ類、ケトン類等が挙げられる。
アルコール類としては、メタノール、エタノール、エタンジオール、プロパノール、イソプロパノール、プロパンジオール、プロパントリオール、ブタノール、ブタンジオール等が挙げられる。
アミノ類としては、グリシン、アラニン、バリン、ロイシン、イソロイシン等が挙げられる。
ケトン類としては、アセトン、メチルエチルケトン、メチルプロピルケトン、メチルイソブチルケトン、ジメチルケトン、ジエチルケトン、メチルアミルケトン、シクロヘキサノン、イソホロン等が挙げられる。
【００４８】
＜添加剤＞
また、本発明の液体推進薬としては、添加剤を含有させて用いてもよい。添加剤としては、燃焼触媒、燃焼助剤等が挙げられる。
【００４９】
燃焼触媒とは、燃焼を促進させる触媒のことであり、詳細には、反応活性を上昇させ、低温でも着火が可能となり、幅広い範囲で用いることができる。燃焼触媒としては、ロジウム、ルテニウム、白金、パラジウム、イリジウム等が挙げられる。
【００５０】
燃焼助剤とは、液体推進薬の比推力を向上させる添加剤であり、アルミニウム、マグネシウム、ホウ素、チタン、グラファイト等の粉末が挙げられる。
【００５１】
従来の四酸化窒素等の液体推進薬では、２３℃における平均密度は１．４４ｇ／ｃｍ３程度以下であった。他方、本発明の液体推進薬の２３℃における平均密度は好ましくは１．４５〜１．５２ｇ／ｃｍ３である。このように平均密度を大きくすることで、後述する優れた比推力を得ることができる。
【００５２】
＜比推力＞
比推力とは、ロケットエンジンの燃料効率を示す尺度であり、推進薬流量に対する推力の大きさを表す。計算式としては「比推力＝推力／（推進薬流量・重力加速度）」で、単位は秒である。比推力を言い換えると、「単位重量の推進薬で単位推力を発生させ続けられる秒数」となる。比推力は、エンジン内部の圧力及び温度、燃焼生成物の組成、熱力学的特性、大気圧及び膨張速度に関連する。
【００５３】
液体推進薬の真空比推力は、ＮＡＳＡ  ＣＥＡ２化学平衡計算プログラム(Ｃｈｅｍｉｃａｌ  Ｅｑｕｉｌｉｂｒｉｕｍ  ｗｉｔｈ  Ａｐｐｌｉｃａｔｉｏｎ  ，ＮＡＳＡ−Ｇｌｅｎｎ  ｃｈｅｍｉｃａｌ  ｅｑｕｉｌｉｂｒｉｕｍ  ｐｒｏｇｒａｍ  ＣＥＡ２  ，Ｍａｙ  ２１  ２００４  ，ｂｙ  Ｂｏｎｎｉｅ  ＭｃＢｒｉｄｅ  ａｎｄ  Ｓａｎｆｏｒｄ  Ｇｏｒｄｏｎ)を用いて計算することができる。アンモニウムジニトラミドとモノメチルアミンナイトレートとを用いた液体推進薬の比推力を該プログラムにより計算した結果を図１に示す。
【００５４】
上記化学平衡計算プログラムを用いて、チャンバ圧力：１０ｂａｒ、開口比：１００として計算したときの比推力は、２４０ｓｅｃ以上あれば好ましく挙げられるが、２６０ｓｅｃ以上がより好ましく挙げられ、２８０ｓｅｃ以上が特に好ましく挙げられる。
【００５５】
本発明の液体推進薬は、比推力が例えば２４０ｓｅｃ以上、好ましくは２４０〜３２０ｓｅｃの比推力が得られる。そのため、本発明の液体推進薬は、ロケット用途の液体推進薬として最適に用いることができる。
【実施例】
【００５６】
以下、本発明を実施例に基づいて詳細に説明するが、本発明は、本実施例により何ら限定されるものではない。【００５７】
（実施例１〜１０、比較例１〜５）
実施例１〜１０、比較例１〜５は、表１に対応する成分１、成分２、添加剤、溶媒を用いた。アンモニウムジニトラミド、尿素、ヒドラジン、グリセロール、硝酸アンモニウムは、市販の試薬を用いた。モノメチルアミンナイトレートは以下のようにして製造したものを用いた。【００５８】
＜モノメチルアミンナイトレートの合成＞
モノメチルアミン４０％水溶液１４６．５部に、７０％硝酸１８７．６部を滴下して１０℃以下で撹拌して反応させた。反応後、得られた水溶液を６０℃、３０ｍｍＨｇの条件で水を留去させ、モノメチルアミンナイトレートの飽和水溶液を得た。モノメチルアミンナイトレートの飽和水溶液をイソプロピルアルコール２８０部に入れ撹拌させて、モノメチルアミンナイトレートの結晶を析出させた。得られた結晶を濾別し、イソプロピルアルコールで洗浄し、乾燥させて、モノメチルアミンナイトレート１８６．４部を得た。【００５９】
【表１】
0005819011.tif 000006
【００６０】
表１中の略語は以下の通りである。
ＡＤＮ：アンモニウムジニトラミド（化合物Ａ）
ＭＭＡＮ：モノメチルアミンナイトレート
Ｕｒｅａ：尿素
ＧＬＵ：グリセロール（グリセリン）
Ｎ２Ｈ４：ヒドラジン
ＡＮ：硝酸アンモニウム【００６１】
液体推進薬の真空比推力を求める為に、ＮＡＳＡ  ＣＥＡ２化学平衡計算プログラム(Ｃｈｅｍｉｃａｌ  Ｅｑｕｉｌｉｂｒｉｕｍ  ｗｉｔｈ  Ａｐｐｌｉｃａｔｉｏｎ  ，ＮＡＳＡ−Ｇｌｅｎｎ  ｃｈｅｍｉｃａｌ  ｅｑｕｉｌｉｂｒｉｕｍ  ｐｒｏｇｒａｍ  ＣＥＡ２  ，Ｍａｙ  ２１  ２００４  ，ｂｙ  Ｂｏｎｎｉｅ  ＭｃＢｒｉｄｅ  ａｎｄ  Ｓａｎｆｏｒｄ  Ｇｏｒｄｏｎ)を用いて計算した。初期条件として、各成分の生成熱を以下のとおりに入力し、チャンバ圧力は１０ｂａｒ、ノズル開口比は１００を入力して計算をした。【００６２】
上記計算のために入力した各成分の生成熱（ｃａｌ／ｍｏｌ）は以下のとおりである。
アンモニウムジニトラミド（Ｎ４Ｈ４Ｏ４）      ：−３５，５００
モノメチルアミンナイトレート（ＣＨ６Ｏ３Ｎ２）：−８０，９８１
尿素（ＣＨ４ＯＮ２）                          ：−７９，６７９
ヒドラジン（Ｎ２Ｈ４）                        ：＋１２，１０３
グリセロール（Ｃ３Ｈ８Ｏ３）                  ：−１５９，７７５
水（Ｈ２Ｏ）                                ：−６８，３１５【００６３】
また、室温における液体推進薬の状態を目視で評価した。固体状のものが全く含まれない液体をＡ、固体状のものが部分的に含まれる液体をＢ、完全な固体をＸとそれぞれラベリングした。真空比推力と常温における液体推進薬の状態を表２にまとめた。
【表２】
0005819011.tif 000007
【００６４】
表２によれば、比較例１〜５より、実施例１〜１０の方が比推力に優れていることがわかる。また、実施例５〜１０では凝固点が降下したため、常温において完全に液状を有していることがわかる。
【産業上の利用可能性】
【００６５】
本発明の液体推進薬は、毒性がなく、取扱いが容易な比推力に優れるものであるため、ロケットの液体推進薬だけではなく、各種用途に用いることができる。
本願は２０１２年１１月３０日に日本に出願された特願２０１２−２６３４４６に基づくものであり、その出願の全体は参照することにより本願に含まれ、本明細書の一部をなす。
【図１】
0005819011.tif 000012